(57)【特許請求の範囲】
【請求項１】
カップ部の脇側サイドよりバック側まで延在させるサイド・バック部を、その上下方向の中央部のパワーを強くし、上下両側部のパワーを中央部のパワーより弱くし、かつ、
上記上下両側の弱いパワーに挟まれた中央部は、該中央部の上下両側より中心部に向かってパワーを段階的に強めていることを特徴とするブラジャー。
【請求項２】
上記サイド・バック部の脇側端は、その下部を土台布と縫着すると共に上部をカップの脇側端縁に縫着、あるいは、脇側端の全体を土台布と縫着している請求項１に記載のブラジャー。
【請求項３】
上記パワーの強い部分の上下幅は最も広い部分で２ｃｍ以上とし、パワーの強い部分はパワーの弱い部分に対して１．３倍〜３倍のパワーを持たせている請求項１または請求項２に記載のブラジャー。
【請求項４】
上記サイド・バック部は上下両側部を同程度の弱いパワーとしている請求項１乃至請求項３のいずれか１項に記載のブラジャー。
【請求項５】
上記サイド・バック部は、パワーが同一あるいはパワーが相違する複数の布より構成し、これらの布の端縁同士を縫着し、あるいは布の一部を重ね合わせて縫着して、上下方向にパワーを切り替えている請求項１乃至請求項４のいずれか１項に記載のブラジャー。
【請求項６】
上記サイド・バック部は、一枚布からなり、該一枚布のパワーを上下方向で異ならせている請求項１乃至請求項５のいずれか１項に記載のブラジャー。
【請求項７】
上記サイド・バック部は、パワーの弱い布にパワーの強い布を重ねて縫着している請求項１乃至請求項６のいずれか１項に記載のブラジャー。
【請求項８】
上記サイド・バック部は、上下両側部を端始末不要なパワーネットを用いている請求項１乃至請求項７のいずれか１項に記載のブラジャー。
【請求項９】
上記サイド・バック部は、上下両側部を１枚布から構成し、テープ材を縫着していない請求項１乃至請求項８のいずれか１項に記載のブラジャー。
【発明の詳細な説明】
【０００１】
【発明の属する技術分野】
本発明は、ブラジャーに関し、サイド・バック部の肌当たりを柔らかくし、締め付け感を無くすものである。
【０００２】
【従来の技術】
従来のブラジャーでは、図２３（Ａ）に示すように、ブラジャー１のカップ部２および／または土台布３に縫着され脇側から背面にかけて覆うサイド・バック布４は、その上下両側端縁に伸縮性の強い細幅テープ４ｂ、４ｃを取り付けてパワーを強めており、よって、中央部４ａより上下両側端縁４ｂ、４ｃのパワーが強くなっている。
【０００３】
【発明が解決しようとする課題】
しかしながら、上記構成のブラジャー１は、図２３（Ｂ）に示すように、着用時に、パワーの強い細幅テープ４ｂ，４ｃにより線状の緊締力がかかるため、上下両側端縁に局部的な圧迫が発生し、そのため、着用感の低下や運動追従性が悪い問題がある。
また、細幅テープが線状に皮膚に食い込み、細幅テープの両側で皮膚が盛り上がって段差が発生し、この段差が外衣に現出して美しいシルエットを形成できない問題がある。
【０００４】
また、激しい運動などによりサイド・バック布４の位置ズレが生じると、中央部４ａから皮膚が伸展して、パワーの強い上下細幅テープ４ｂ、４ｃの部分で皮膚が元の中央部４ａの内側に戻りにくいため、位置ズレによる違和感や不快感を感じやすい問題もある。
【０００５】
なお、図２４に示すブラジャー５のように、サイド・バック布６をパワーの大きい伸縮性編地から形成し、下端縁６ａの縁取りテープをなくしたものが実用新案登録第３０５２２１７で提案されている。
しかしながら、上記ブラジャー５は、下端縁６ａの縁取りをなくすことによって下端縁６ａの外衣への現出を解消することを課題としており、また、サイド・バック布６の上端縁６ｂには縁取りテープが縫着されているため、該テープによる局部的な線状の圧迫感を解消することはできず、かつ、この部分で皮膚に段差が生じる問題も解消されていない。
【０００６】
本発明は上記課題に鑑みてなされたものであり、ブラジャーのサイド・バック部を改良して、着用時における締め付け感を緩和し、かつ、脇側から背面にかけてのシルエットを美麗にし、また安定感を良好とするブラジャーの提供を課題としている。
【０００７】
【課題を解決するための手段】
本発明は、上記課題を解決するために、カップ部の脇側サイドよりバック側まで延在させるサイド・バック部を、その上下方向の中央部のパワーを強くし、上下両側部のパワーを中央部のパワーより弱くし、かつ、
上記上下両側の弱いパワーに挟まれた中央部は、該中央部の上下両側より中心部に向かってパワーを段階的に強めていることを特徴とするブラジャーを提供している。
なお、ブラジャー以外に、背面がブラジャー部分とパンテイ部分とに分離したボデイスーツやビキニタイプの水着にも好適に適用できる。
【０００８】
上記構成のように、サイド・バック部では、その上下両縁に伸縮性の強いテープを取り付けて線状の強い緊締力を負荷していた従来の手法に代えて、面状に緩やかな緊締力を負荷している。よって、圧迫感を解消でき着用感を良好なものとすることができる。
また、着用者の肌に対して上下方向の中央部を最も強く圧接させ、その上下に皮膚を伸展させ、このパワーの強い中央部を挟む上下両側部の弱いパワー部分で、緩やかに面状に緊締するため、中央部より伸展した皮膚を分散させることができる。その結果、従来の上下両縁に細幅テープを縫着していた場合にテープの端縁に沿った部分で発生していた皮膚に段状発生を無くすことができ、脇側から背面側にかけて段差のないスッキリと美麗なシルエットを形成することができる。
【０００９】
また、上記のとおり、サイド・バック部の上下両側部は緊締力が分散されやすい構造であるため、上下両縁より皮膚を外部に分散させると同時に外部から伸展した皮膚をサイド・バック内部に吸収しやすい。そのため、運動時等に脇側や背面側が大きく皮膚伸展しても、その伸展量を分散、吸収してサイド・バック部の位置ズレを防止することができる。
【００１０】
上記パワーの強い部分の上下幅は最も広い部分で２ｃｍ以上とすることが好ましい。サイド・バック部の幅はカップ側から背面側まで略均一な幅としてもよいし、背面側中央に向かって次第に狭くなるようにしてもよい。この次第に狭くなる場合において最も広い幅の部分を上記のように２ｃｍとしていることが好ましい。このように、パワーの強い中央部を所要幅とすると、線状ではなく面状に肌に緊締することができるため、位置ズレによる違和感や不快感を緩和することができると共に、着用時の皮膚にぴったりとした感じを持たせることができ、ブラジャー全体の安定感を増大させることができる。
【００１１】
また、パワーの強弱は、パワーの強い部分はパワーの弱い部分に対して１．３倍〜３倍のパワーを持たせており、より好ましくは１．５倍〜２倍である。
上記１．３〜３倍としているのは、３倍を越えると極端にパワーの差がつき過ぎ、身体にフィットせず、中央部に局部的な緊締力を発生することとなり、上下両側が縒れる状態となりやすい。
なお、上記パワーの差異は隣接するパワーの強弱を指し、段階的にパワーを中央に向かって強めて、中央の最もパワーの強い部分と上下両縁の最もパワーの弱い部分との差は３倍以上となる場合もある。
さらに、上下幅方向のパワーの強弱の差異は、サイド・バック部の脇側からバック側にかける全長にわたって付与していることが好ましいが、バック側中央部の係合具取付位置等の一部分に、パワーの差異を持たせていない部分を存在させてもよい。
【００１２】
上記サイド・バック部の脇側端は、その下部を土台布と縫着すると共に上部をカップの脇側端縁に縫着、あるいは、脇側端の全体を土台布と縫着している。
【００１３】
上記サイド・バック部は、背面側の中央で分離されて留め具により着脱自在に連結しても良いし、背面側で分離せずに連続させてもよい。後者は、スポーツブラジャーや子供用ブラジャーに多い頭からスッポリ被るタイプや、左右カップ部の間に留め具を縫着してフロントサイドで着脱するタイプとなる。
【００１４】
上記サイド・バック部では上下両側部を中央部よりもパワーを弱くすればよい。  よって、上下幅方向の中心線を対象線として上下両側部に均等なパワーを持たせてもよく、この場合には、上下のパワーバランスがとれて、いずれかにずれたり、着崩れが生じることが無く、面で押さえる効果がより発揮できる。
上記のように、上下両側部を同一のパワーとしても良いが、上側部より下側部のパワーを強くすることが好ましく、特に、ノンワイヤーブラジャーにおいては好適なものとなる。
即ち、上下両側のパワーが均等の場合、カップ部の上辺と下辺とを均一な力で引っ張るため、ノンワイヤーブラジャーの場合はカップ部が偏平化しやすくなる。これに対して、下側部のパワーを上側部より強くすると、カップ下辺により強い引っ張り力を負荷して、カップ部を造型し、乳房を下から持ち上げる作用がある。
【００１５】
さらに、上記上下両側の弱いパワーに挟まれた中央部は、該中央部の上下両側より中心部に向かってパワーを段階的に強めている。この場合、面状にかかる緊締力を細かく段階的に分散出来るため、段差を解消して美しいシルエットを形成することができる。
【００１６】
上記サイド・バック部は、パワーが同一あるいはパワーが相違する複数の布より構成し、これらの布の端縁同士を縫着し、あるいは布の一部を重ね合わせて縫着して、上下方向にパワーを切り替えてもよい。なお、それぞれの布が均一のパワーで構成されている場合に限らず、部位によってパワーを異ならせて形成されていてもよい。また、これら複数の布を一部重ね合わせて縫着する場合は、該重ね合わせ部のパワーをより強めることができ、パワーの強弱の段階数を増やすことができる。
【００１７】
あるいは、上記サイド・バック部は、一枚布からなり、該一枚布のパワーを、下記の手法で上下方向で異ならせてもよい。
▲１▼（地）編組織を切り替える。
▲２▼挿入する弾性糸の本数を変える。
▲３▼挿入する弾性糸のデニール数（太さ）を変える。
▲４▼上記▲１▼と▲２▼、▲２▼と▲３▼、▲１▼と▲３▼の組み合わせ。
▲５▼上記▲１▼と▲２▼と▲３▼の組み合わせ。
なお、サイド・バック布は伸縮性が必要なため弾性糸を挿入していることが好ましい。
【００１８】
さらには、上記サイド・バック部は、パワーの弱い布にパワーの強い布を重ねて縫着してもよい。重ねる位置は表側でも裏側でもよい。
【００１９】
上記サイド・バック部は、上下両側部にパワーネットを用いることが好ましい。パワーネットは、ゴムやアンダーテープなどを縫着する端始末が不要であるため、サイド・バック部の上下両側端部でのソフトな伸縮作用を阻害しない上、締め付け感も少ないため、着用感を良好とすることができる。
【００２０】
さらに、上記サイド・バック部は、上下両側部を１枚布から構成し、テープ材を縫着していない。即ち、上下両側部のパワーを弱くしても、この部分にテープ材を縫着すると、パワーが強くなって線状の緊締力を生じることとなるため、本発明では、あくまでも両側のパワーの弱い部にテープ材を縫着していない。
【００２１】
【発明の実施の形態】
以下、発明の実施形態を図面を参照して説明する。
なお、以下の説明する実施形態に於いても、上側部、中央部、下側部の上下方向の各幅ＷＢ、ＷＡ、ＷＣは位置によっても異なるが、同位置のサイド・バック部の幅Ｗに対し、ＷＢおよびＷＣが３０％〜２５％の範囲内、ＷＡが４０〜５０％の範囲内となるように設定し、中央部ＷＡの寸法を最も広い位置で２センチ以上となるように設定している。
【００２２】
図１乃至図３は、本発明の第１参考実施形態に係るブラジャー１０を示し、左右カップ布１１、土台布１４、肩紐１５、およびサイド・バック部２０より構成される。
【００２３】
上記左右カップ布１１は、表布１２と肌側布１３（図中破線で示す）の２枚重ねで構成され、肌側布１３には肌あたりの良いシルクプロテイン加工された綿地を用いている。また、上記サイド・バック部２０は、背面側の中央で左右に分離され、留め具１７で着脱自在に連結する構成としている。
【００２４】
上記カップ布１１の中心側下端縁１１ａには土台布１４が縫着され、該土台布１４の脇側端縁１４ａとカップ布１１の脇側下端縁１１ｂには、上記サイド・バック部２０の脇側端縁２０ａを縫着して連続させている。また、サイド・バック部２０とカップ布１１とは左右の肩紐１５で連結し、該肩紐１５には、肩への圧迫感を軽減できる幅広で高伸度のストラップを用いている。
なお、カップ布１１の連続する中心側下端縁１１ａと脇側下端縁１１ｂに沿って、ワイヤー（図示せず）を封入した袋状テープ１６を表側に縫着し、肌あたりの良いアウトインワイヤー構造としている。
【００２５】
上記サイド・バック部２０は、図２に示すように、いずれも裏に綿糸を編み込んだヘムパワーネットからなる上下２枚の布２１、２２で構成され、上側布２１の下端縁２１ｂと下側布２２の上端縁２２ａを縫着Ｈして、上下方向にパワーの異なる上側部２０Ｂ、中央部２０Ａ、下側部２０Ｃを形成している。即ち、上布２１は上下二層でパワーを異ならせ、上段部２１１は２８０デニールの弾性糸体を挿入することにより上側部２０Ｂを構成するパワーの弱い編組織とすると共に、下段部２１２には４２０デニールの弾性糸体を挿入することにより中央部２０Ａを構成するパワーの強い編組織としている。一方、下布２２は２８０デニールの弾性糸体を挿入することにより、下側部２０Ｃを構成するパワーの弱い編組織としている。上側部２０Ｂと下側部２０Ｃのパワーは同程度の弱さとしている。
【００２６】
詳細には、上布２１は６センチ幅のサテンヘムパワーネットからなり、素材はナイロン５６％、弾性糸２９％、綿糸１５％の混合率からなる。該上布２１の上側部２０Ｂは上下幅２センチとし、上記のように２８０デニールの弾性糸体を挿入している。中央部２０Ａは上下幅４センチとし、上記のように４２０デニールの弾性糸体を挿入してパワーの強い組織とし、パワーに差異を持たせている。
上記下布２２は、２センチ幅のサテンヘムテープからなり、上布２１の上側部２０Ｂと同一の素材からなり、ナイロン５６％、弾性糸２９％、綿糸１５％の混合率で、上記のように２８０デニールの弾性糸体を挿入して、パワーの弱い組織としている。
【００２７】
上記上下布２１、２２を構成するサテンヘムパワーネットとサテンヘムテープとは共にパワーネットの編み組織からなり、上記のように、６センチ幅、２センチ幅で両端が端始末不要なヘム状態に編まれ、端始末不要なこれらの２枚に布を縫着して１枚のサイド・バック部を形成している。
このように上下２枚の布２１、２２よりサイド・バック部を形成しているのは、図２に示すように、バック側では上布２１の上側部２０Ｂ、中央部２０Ａの幅を先端に向かって狭くしており、上縁と下布２２の下縁が平行でないため、１枚布の両端を端始末不要なヘム状態に編成することが困難なことによる。
【００２８】
上記構成のブラジャー１０を着用すると、図３の黒矢印で示すように、サイド・バック部２０の中央部２０Ａが強いパワーで脇側サイドから背面側にかけて面状に強い緊締力を負荷し、図中白矢印で示すように皮膚を上下方向に伸展させる。一方、中央部２０Ａを挟む上側部２０Ｂと下側部２０Ｃは、中央部２０Ａよりも弱いパワーであるが、上下方向に所要幅（各２センチ幅）を有しているため、緩やかな緊締力を面状に負荷し、中央部から伸展した皮膚を押さえながら上下方向に分散させることができる。
【００２９】
即ち、従来のサイド・バック部では、上下両端縁に強い緊締力を線状に負荷する細幅テープを取り付けていたが、本発明では、サイド・バック部２０の上下両側には中央部２０Ａよりもパワーの弱い層を幅を持たせて存在させ、緩やかな緊締力を面状に負荷しているため、従来のようにサイド・バック部の上下両端縁で皮膚に段差が殆どつかず、サイドからバックにかけてのシルエットを段差の殆どない美しいものとすることができる。しかも、端始末不要のヘムパワーネットを生地に使用することによって、上下両端部が肌に食い込まず、皮膚面の段差量を確実に軽減させることができる。
【００３０】
さらに、脇側や背面が大きく皮膚伸展する運動時においても、サイド・バック部２０の上下両側部のパワーが弱いため、サイド・バック部２０外に伸展した皮膚は上側部２０Ｂおよび下側部２０Ｃ内に戻りやすく、元のサイド・バック部内の位置に収容されるため、位置ズレが生じにくい構成となっている。さらにまた、中央部２０Ａの上下幅が２センチ以上（本実施形態では４センチ）であるため、パワーの強い中央部２０Ａが細幅の線状でなく面で肌に当接し、肌あたりがソフトで身体に安定的にフィットすると共に、位置ズレが生じても着用者は違和感や不快感を感じにくくなる。
【００３１】
図４および図５は本発明の第２参考実施形態にかかるフロントホックタイプのブラジャー１０’を示している。該ブラジャー１０’は、左右カップ布１１’の間で同様に左右に分離された土台布１４’の相対向する端縁に一対の留め具１７’を縫着し、該留め具１７’を開閉して着脱する構造であり、サイド・バック部２５は背面側で分離せずに連続している。また、左右の土台布１４’は左右のカップ布１１’の中心側下端縁１１ａ’から脇側下端縁１１ｂ’までの全長にわたってそれぞれ縫着され、サイド・バック部２５の脇側端縁２５ａは、その全長を土台布１４’の脇側端縁１４ａ’に縫着している。
【００３２】
上記サイド・バック部２５は、図５に示すように、上記第１参考実施形態と同様に、上側布２６の下端縁２６ｂと下側布２７の上端縁２７ａを互いに縫着Ｈして形成すると共に、パワーの強い中央部２５Ａを該中央部２５Ａよりもパワーの弱い上側部２５Ｂと下側部２５Ｃで挟む上下３段構成としている。上側布２６は上記上側部２５Ｂを構成するパワーの弱い弾性糸挿入部分のみからなり、一方、下側布２７を上下二層でパワーを異ならせ、上段部２７１は中央部２５Ａを構成するパワーの強い弾性糸挿入部分で、下段部２７２は下側部２５Ｃを構成するパワーの弱い弾性糸挿入部分で形成しており、この点が第１実施形態と相違している点であり、その他の点では上記第１参考実施形態と同様であるため同符号を付して説明を省略する。
本参考実施形態においても、サイド・バック部２５全体として上からパワーを弱・強・弱で構成しており、第１参考実施形態と同様に面状に緊締することにより皮膚の伸展、分散を図り、サイドからバックにかけて皮膚の段差発生を解消することができる。
【００３３】
図６は本発明の第３参考実施形態にかかるブラジャー１０のサイド・バック部３０を示し、該サイド・バック部３０は、上記第１参考実施形態と同様に、上側布３１の下端縁３１ｂと下側布３２の上端縁３２ａを互いに縫着Ｈし、接ぎ合わせて形成すると共に、パワーの強い中央部３０Ａをパワーの弱い上側部３０Ｂと下側部３０Ｃで挟む上下３段構成としている。第１参考実施形態との相違点は、上側布３１と下側布３２をほぼ同一幅とすると共に、上側布３１も下側布３２も上下二層でパワーを異ならせている点である。
【００３４】
即ち、上側布３１は、パワーの弱い弾性糸を挿入した上段部３１１と、パワーの強い弾性糸を挿入した下段部３１２からなる。下側布３２は、上側布３１の下段部３１２と同一パワーの弾性糸を挿入した上段部３２１と、上側布３１の上段部３１１と同一パワーの弾性糸を挿入した下段部３２２からなる。上記中央部３０Ａは縫着Ｈにより連続した上側布３１の下段部３１２と下側布３２の上段部３２１とで構成され、上側部３０Ｂは上側布３１の上段部３１１で、また下側部３０Ｃは下側布３２の下段部３２２で構成される。他の点では上記第１参考実施形態と同様である。
【００３５】
図７（Ａ）（Ｂ）は本発明の第４参考実施形態に係るブラジャー１０のサイド・バック部３５を示し、該サイド・バック部３５は、上記第１参考実施形態と同様に、上側布３６と下側布３７の２枚の布で構成されると共に、パワーの強い中央部３５Ａをパワーの弱い上側部３５Ｂと下側部３５Ｃで挟む上下３段構成としている。第１参考実施形態との相違点は、図７（Ａ）に示すように、上側布３６と下側布３７がいずれも互いに同程度のパワーで切り替えのない布からなり、上側布３６の下部に下側布３７の上部を重ねた重合部３８（図中斜線で示す）で上記中央部３５Ａを形成している点である。
【００３６】
即ち、図７（Ｂ）に示すように、上側布３６と下側布３７とは互いに端縁を縫着するのではなく、上側布３６の上に下側布３７を一部重ねて重合部３８を形成したうえで、下側布３７の上端縁３７ａを上側布３６に縫着Ｈする。これにより、重合部３８からなる中央部３５Ａは２枚の生地が重なるためパワーが強化される一方、該中央部３５Ａの上方と下方はそれぞれ一重の生地からなり、パワーの弱い上側部３５Ｂと下側部３５Ｃを構成している。他の点では、上記第１参考実施形態と同様であり、本参考実施形態のサイド・バック部３５も上から弱・強・弱のパワー切り替えが形成される。
【００３７】
図８（Ａ）（Ｂ）は本発明の実施形態に係るブラジャー１０のサイド・バック部４０を示し、該サイド・バック部４０は、上記第４参考実施形態と同様に、上側布４１と下側布４２の２枚の布を一部重ねて縫着Ｈして形成している。一方、上記第４参考実施形態との相違点は、パワーの弱い上側部４０Ｂと下側部４０Ｃとで挟まれた中央部４０Ａが、さらに、最もパワーの強い中心部４０ＡＡとその上下両側にパワーが中程度の中央上段部４０ＡＢと中央下段部４０ＡＣを配置しパワー切り替えされた構成とし、サイド・バック部４０全体として上下５段構成としている点である。
【００３８】
即ち、上記サイド・バック部４０は、図８（Ａ）に示すように、上側布４１と下側布４２が共に上下層でパワーを異ならせ、上側布４１は、上段部４１１をパワーの弱い編組織で、下段部４１２をパワーが中程度（以下「中パワー」と略す）の編組織で形成し、下側布４２は、上段部４２１を中パワーの編組織で、下段部４２２を弱いパワーの編組織で形成し、次いで、図８（Ｂ）に示すように、該上側布４１の上段部４１１の中間位置に下側布４２の上端縁４２ａが位置するように重ね、重合部４３を形成したうえで、上側布４１と下側布４２とを縫着Ｈしている。このとき、上側布４１の下段部４１２の幅と、下側布４２の上段部４２１の幅をほぼ同寸としているため、上側布４１の下端縁４１ｂは下側布４２の下段部４２２に重なる。
【００３９】
これにより、上記重合部４３は、さらに、上側布４１の弱いパワーの上段部４１１に下側布４２の中パワーの上段部４２１が重なった重合上段部４３１と、上側布４１の中パワーの下段部４１２と下側布４２の中パワーの上段部４２１が二重になりパワーが強化された重合中段部４３２と、上側布４１の中パワーの下段部４１２と下側布４２の弱いパワーの下段部４２２とが重なった重合下段部４３３との３段階にパワーが切り替えられ、上からパワー程度が、（中＋弱）＜（中＋中）＞（中＋弱）、に構成されるため、これらがそれぞれ上記中央上段部４０ＡＢ、中心部４０ＡＡ、中央下段部４０ＡＣに対応する。さらに、該重合部４３の上下両側は共に弱いパワーの上側布４１の上段部４１１と下側布４２の下段部４２２に挟まれ、それぞれが上記上側部４０Ｂと下側部４０Ｃに対応する。
【００４０】
よって、上記サイド・バック部４０は、上から弱・中・強・中・弱の５段階でパワー切り替えされ、上下両側から中心部に向かって段階的にパワーが強められる構成となっている。このサイド・バック部４０は、３段階切り替えのサイド・バック部に比して、上下幅方向に緊締力が細かく漸次的に行われるため、皮膚の段差一層生じにくくなる。
【００４１】
図９（Ａ）（Ｂ）は本発明の第５参考実施形態にかかるブラジャー１０のサイド・バック部４５を示し、該サイド・バック部４５は、上記第１実施形態と同様に、上側布４６と下側布４７の２枚の布を一部重ねて縫着Ｈして形成している。一方、上記第４参考実施形態との相違点は、パワーの弱い編組織のみからなる上側部４５Ｂと下側部４５Ｃに挟まれたパワーの強い中央部４５Ａを、さらに、最もパワーの強い中心部４５ＡＡとその下側に中央下段部４５ＡＢと中央第２下段部４５ＡＣを設けた３段階構成とし、下側部４５Ｃに向かって段階的にパワーを弱めており、全体として計５段階構成としている点である。
【００４２】
即ち、上記サイド・バック部４５は、図９（Ａ）に示すように、上側布４６が弱いパワーの弾性糸挿入部分のみで、切り替えなく形成されている一方、下側布４７は上中下層でパワーを異ならせ、上段部４７１は強いパワーの弾性糸挿入部分で、中段部４７２は中パワーの弾性糸挿入部分で、下段部４７３は弱いパワーの弾性糸挿入部分で形成し、次いで、図９（Ｂ）に示すように、該上側布４６の上段部４６１の中間位置に下側布４７の上端縁４７ａが位置するように重ね、重合部４８を形成したうえで上側布４６と下側布４７とを縫着Ｈしている。このとき、上側布４６と下側布４７の幅はほぼ同寸としているため、上側布４６の下端縁４６ｂは下側布４７の下段部４７３に重なる。
【００４３】
これにより、上記重合部４８は、さらに、弱いパワーの上側布４６に下側布４７の強いパワーの上段部４７１が重なって強化された重合上段部４８１と、弱いパワーの上側布４６に下側布４７の中パワーの中段部４７２が重なりパワーが強化された重合中段部４８２と、弱いパワーの上側布４６に下側布４７の弱いパワーの下段部４７３とが重なった重合下段部４８３との３段階にパワーが切り替えられ、上からパワー程度が、（弱＋強）＞（弱＋中）＞（弱＋弱）、に構成されるため、これらがそれぞれ上記中心部４５ＡＡ、中央下段部４５ＡＢ、中央第２下段部４５ＡＣに対応する。さらに、該重合部４８の上下両側には共にパワーの弱い上側布４６と下側布４７の下段部４７３が位置し、それぞれが上記上側部４５Ｂと下側部４５Ｃに対応する。
【００４４】
よって、上記サイド・バック部４５においても、上から弱・強・やや中・やや弱・弱の５段階でパワー切り替えされ、上下両側から中心部４５ＡＡに向かって段階的にパワーが強められる構成となっている。一方、最もパワーの強い中心部４５ＡＡをサイド・バック部の中心よりもやや上方に位置させると共に、該中心部４５ＡＡの上方と下方でパワーを異ならせ、下方のパワー切り替えの段回数を多くしている。これにより、脇下位置などに隠れて皮膚の段差が外衣に現出しにくいサイド・バック部４５の上方よりも、目立ちやすいサイド・バック部４５の下方の段差解消を強化することができる。
【００４５】
図１０（Ａ）（Ｂ）は本発明の第６参考実施形態にかかるブラジャー１０のサイド・バック部５０を示し、該サイド・バック部５０は、上記参考第１実施形態と同様に、パワーの強い中央部５０Ａを弱いパワーの上側部５０Ｂと下側部５０Ｃとで挟む上下３段階構成としている。一方、第１実施形態との相違点は、上側布５１、中間布５２、および下側布５３の３枚を、互いに端縁を縫着Ｈして上下に接ぎあわせて形成している点である。
【００４６】
即ち、図１０（Ａ）に示すように、上側布５１は上記上側部５０Ｂを構成するパワーの弱い編組織のみから、中間布５２は上記中央部５０Ａを構成する強いパワーの編組織のみから、下側布５３は上記下側部５０Ｃを構成するパワーの弱い編組織のみからなるいずれもパワー切り替えのない生地であり、図１０（Ｂ）に示すように、上側布５１の下端縁５１ｂと中間布５２の上端縁５２ａを、中間布５２の下端縁５２ｂと下側布５３の上端縁５３ａとを縫着Ｈして連続させている。その他の点では上記参考第１実施形態と同様である。
【００４７】
本実施形態においても、サイド・バック部５０全体として上からパワーを弱・強・弱で構成しており、第１参考実施形態と同様に面状に緊締することによって、緊締力の分散を図り、サイドからバックにかけて皮膚の隆起による段差を解消することができる。なお、上側布５１、中間布５２、下側布５３のいずれか、あるいは全てにパワー切り替えされた生地を用い、全体として４段階、５段階等の切り替えを形成してもよい。
【００４８】
図１１は本発明の第７参考実施形態にかかるブラジャー１０のサイド・バック部５５を示し、該サイド・バック部５５は、上記第１参考実施形態と同様に、パワーの強い中央部５５Ａを弱いパワーの上側部５５Ｂと下側部５５Ｃとで挟む上下３段階構成としている。一方、第１参考実施形態との相違点は、該サイド・バック部５５を一枚布で構成し、パワー切り替えを挿入する弾性糸の本数あるいはデニール数の変更によって行っている点である。この場合は、複数枚を互いに縫着させて構成する場合と異なり、縫製の手間が省け、コスト削減を図ることができる。
【００４９】
図１２は本発明の第２実施形態にかかるブラジャー１０のサイド・バック部６０を示し、該サイド・バック部６０は、上記第７参考実施形態と同様に、一枚布で構成され、強いパワーの中央部６０Ａを弱いパワーの上側部６０Ｂと下側部６０Ｃとで挟む構成としている。
【００５０】
一方、第７参考実施形態との相違点は、パワーの強い中央部６０Ａを２．５センチ以上の広幅に設けるとともに、該中央部６０Ａの中心にパワーの強い弾性糸で編成された中心部６０ＡＡを形成し、該中心部６０ＡＡから上下両側には、弾性糸のデニール数を徐々に小さくし、および／あるいは、挿入する弾性糸の本数を減らしながら、上側部６０Ｂおよび下側部６０Ｃと同程度のパワーに近づくまで漸次的にパワーを弱めていくグラデーション層６０ＡＢ、６０ＡＣを形成している点である。この場合も、サイド・バック部６０は中心から上下両側に向かってパワーを弱めていく構成となる。
【００５１】
図１３は本発明の第３実施形態にかかるサイド・バック部６５を示し、該サイド・バック部６５は、上記第２実施形態と同様に、一枚布で構成されるが、上下に７段階に挿入する弾性糸の本数やデニール数を変えながらパワーを切り替えている。
【００５２】
即ち、パワーの弱い上側部６５Ｂと下側部６５Ｃに挟まれたパワーの強い中央部６５Ａは、さらに、最もパワーの強い中心部６５ＡＡと、その上下両側の中央上段部６５ＡＢおよび中央下段部ＡＣと、さらに、その上下両側の中央第２上段部６５ＡＤおよび中央第２下段部６５ＡＥの計５段からなり、パワーの程度が上から、上側部６５Ｂ＜中央第２上段部６５ＡＤ＜中央上段部６５ＡＢ＜中心部６５ＡＡ＞中央下段部６５ＡＣ＞中央第２下段部６５ＡＥ＞下側部６５Ｃ、となるようにパワー切り替えされている。従って、このサイド・バック部６５も、パワーの弱い上下両側から中心部に向かって段階的にパワーが強められている構成となる。
【００５３】
図１４（Ａ）（Ｂ）は本発明の第８参考実施形態にかかるサイド・バック部７０を示し、該サイド・バック部７０は、本体７１に補強布７１ａを縫着することによってパワーの強い中央部７０Ａを形成している。
【００５４】
図１４（Ａ）に示すように、上記本体７１は弱いパワーの編組織のみからなるパワー切り替えのない一枚布で形成される。また、上記補強布７１ａは本体７１よりも細幅とし、本体よりも強いパワーの編組織で編成されている。この補強布７１ａを、図１４（Ｂ）に示すように、本体７１の中央位置に重ねて縫着することにより、パワーの強い中央部７０Ａを形成すると共に、該補強布７１ａの上下両側に本体７１のみからなるパワーの弱い部分、即ち上側部７０Ｂと下側部７０Ｃを形成して、上下３段階にパワーを切り替えている。この場合も、上下両側から中央部に向かって段階的にパワーが強められる構成となる。
【００５５】
図１５（Ａ）（Ｂ）は本発明の第９参考実施形態にかかるサイド・バック部７５を示し、該サイド・バック部７５は、上記第８参考実施形態と同様に、補強布７６ａを用いてパワーの強い中央部７５Ａを形成しているが、本体７６は、上側布７７と下側布７８の２枚で構成している。
【００５６】
即ち、図１５（Ａ）に示すように、上記上側布７７、下側布７８、補強布７６はいずれもパワー切り替えのない同じパワーの布からなり、図１５（Ｂ）に示すように、該上側布７７の中間位置に下側布７８の上端縁７８ａが位置するまで重ね、重合部７９を形成したうえで互いを縫着Ｈして上記本体７６を形成している。上記補強布７６ａは、本体７６の重合部７９と同一幅、同一形状となるように編成し、重合部７９の上に重ねて本体７６に縫着している。
【００５７】
これにより、サイド・バック部７５は、重合部７９にさらに補強布７６ａが重なってパワーが強化された中央部７５Ａと、その上下両側に、パワーの弱い上側布７７と下側布７８のみからなる上側部７５Ｂと下側部７５Ｂとが形成され、上下３段階にパワーが切り替えられる構成となる。
【００５８】
図１６（Ａ）（Ｂ）は本発明の第１０参考実施形態にかかるサイド・バック部８０を示し、該サイド・バック部８０は、上記第９参考実施形態と同様に、上側布８２と下側布８３とからなる本体８１に補強布８１ａを縫着してパワーの強い中央部８０Ａを形成している。一方、上記上側布８２と下側布８３とは、上側布８２の下端縁８２ｂと下側布８３の上端縁８３ａとを縫着Ｈして接ぎあわせている点、および上側布８２と下側布８３とでパワーを異ならせている点で第９参考実施形態と相違している。
【００５９】
即ち、図１６（Ａ）に示すように、上側布８２は弱いパワーの弾性糸挿入部分のみから、下側布８３は中パワーの弾性糸挿入部分みからなり、これを上記のとおり互いの端縁を継ぎ合わせて本体８１を形成している。
一方、補強布８１ａは本体８１よりも細幅とし、下側布８３より強いパワーの弾性糸挿入部分のみで編成している。
【００６０】
上記補強布８１ａを、図１６（Ｂ）に示すように、上記上側布８２と下側布８３との縫着線Ｌを跨ぐ位置に重ねて本体８１に縫着し、パワーの強化された中央部８０Ａを形成し、その上下両側を、弱いパワーの上側布８１のみからなる上側部８０Ｂと、中パワーの下側布８３のみからなる下側部８０Ｃとで挟む構成としている。この中央部８０Ａはさらに、縫着線Ｌより上側でパワーの弱い上側布８２と重合した中央上段部８０ＡＢと、縫着線Ｌより下側で中パワーの下側布８３と重合した中心部８０ＡＡとの２段階に分かれている。従って、このサイド・バック部８０は、上から、弱＜（弱＋強）＜（中＋強）＞中、の４段階にパワー切り替えされる。
【００６１】
上記構成においても、サイド・バック部８０は上下両側から中心部８０ＡＡに向かってパワーが強められるが、最もパワーの強い中心部８０ＡＡが少し下方に位置すると共に、該中心部８０ＡＡの上側のパワーを下側よりも弱くしている。これにより、脇下にたまりがちな脂肪を上側部８０Ｂからサイド・バック８０内に収容して、サイド・バック部８０の内外での段差を少なくすると共に、中パワーの下側部８０Ｃでサイドを引き締める効果を発揮することができる。
【００６２】
図１７（Ａ）（Ｂ）は本発明の第４実施形態にかかるサイド・バック部８５を示し、該サイド・バック部８５は、一枚布からなる本体８６に２枚の補強布８６ａ、８６ｂを重ねて縫着して、パワーを強化した中央部８５Ａを形成している。
【００６３】
即ち、図１７（Ａ）に示すように、上記本体８６は弱いパワーの編組織で編成されたパワー切り替えのない布からなり、上記補強布８６ａは、本体８６より細幅で、本体よりも強いパワーの編組織で編成されたパワー切り替えのない布からなり、上記補強布８６ｂは、補強布８６ａよりも細幅で、補強布８６ａと同程度のパワーの編組織で編成されたパワー切り替えのない布からなる。
なお、本体８６、補強布８６ａ、８６ｂを同一パワーの布で構成してもよい。
【００６４】
これらは、図１７（Ｂ）に示すように、本体８６の中間位置に補強布８６ａを重ねてパワーが強化された中央部８５Ａを形成し、その補強布８６ａの中間位置に補強布８６ｂをさらに重ねてパワーが最も強化された中心部８５ＡＡを形成したうえで、互いに縫着され、サイド・バック部８５として一体化される。
これにより、上記中心部８５ＡＡの上下両側には、本体８６と補強布８６ａが重合して形成された中パワーの中央上段部８５ＡＢと中央下段部８５ＡＣが位置し、さらにその上下両側には、本体８６のみからなる弱いパワーの上側部８５Ｂと下側部８５Ｃとが位置する。
【００６５】
上記構成においても、サイド・バック部８５は、上下両側から中心部８５ＡＡに向かって段階的にパワーが強化される。なお、補強布は３枚以上としてもよく、また、補強布８６ｂに補強布８６ａよりもパワーの強いものを用いれば、中心部８５ＡＡのパワーを一層強化することができる。
【００６６】
図１８は本発明の第１１参考実施形態にかかるサイド・バック部９０を示し、該サイド・バック部９０は、本体９１よりもパワーの強い補強布９２を本体９１の中に挟み込む構成としている。
【００６７】
即ち、上記本体９１は、パワーの弱いトリコット等の一枚布からなる一方、上記補強布９２はパワーの強いパワーネット等の一枚布からなる。上記サイド・バック部９０は、本体９１の中間位置に上記補強布９２を配置した後、本体９１の上端部９１ａと下端部９２ａを折り返し、該補強布９２の上で互いに重ねて本体９１および補強布９２を一体に縫着して形成される。このとき、縫着後の補強布９２の上下両側に、二重に折り返された本体９１のみで形成された上側部９０Ｂと下側部９０Ｃが形成されるようにする。
【００６８】
上記構成においても、補強布９２の表裏両面に計３枚の本体９１が重合してパワーが強化された中央部９０Ａを形成し、その上下両側をパワーの弱い本体の２枚重ねからなる上側部９０Ｂと下側部９０Ｃが挟み、上下３段階にパワーが切り替えられる。また、折り返された本体９１の上下両端部９１ａ、９１ｂを補強布９２の上に重ねて縫着することにより、上側部９０Ｂと下側部９０Ｃには折り返しの「わ」が位置し、弱いパワーの上側部９０Ｂおよび下側部９０Ｃの伸びとソフトな肌あたりを維持し上下端部の肌への食い込みを防止することができる。なお、本体９１の折り返しは、重合生地によって肌に違和感や締め付け感を与えないように外側に折り返すことが好ましい。
【００６９】
図１９（Ａ）（Ｂ）（Ｃ）は第１２参考実施形態を示し、肩紐なしのロングブラシャーからなり、サイドバック部１００は脇側よりバック側中央にかけて上下幅が次第に狭くなる構成としている。該サイドバック部１００も、パワーの強化された中央部１００Ａとパワーの弱い上下両側部１００Ｂ、１００Ｃとからなるが、中央部１００Ａはバック側中央先端に向かって脇側より上下幅が漸減する三角形状とし、上下両側部１００Ｂ、１００Ｃの上下幅は長さ方向で均一としている。
第１参考実施形態と同様に、上側部１００Ｂと中央部１００Ａは１枚の上布１０１からなり、下側部１００Ｃを構成する１枚の下布１０２とを縫着している。上記上布１０１は第１実施形態と同様のサテンヘムパワーネットからなり、下布１０２はサテンヘムテープからなる。
【００７０】
図２０は第１３参考実施形態を示し、サイドバック部は図２０（Ａ）は第１２参考実施形態と同様な形状としているが、肩紐つきとすると共に、バック側に向かって先細となる三角形状でパワーの強い中央部１１０Ａと、パワーの弱い上下両側部１１０Ｂ、１１０Ｃとをそれぞれ別布から形成して縫着している。即ち、上下両側部１１０Ｂ、１１０Ｃをサテンヘムテープから形成し、中央部１１０Ａをサテンヘムパワーネットから形成している。
図２０（Ｂ）はパワーの強い中央部１１０Ａ’のバック側中央先端を鋭角状とせず、上下幅を持たせており、中央部１１０Ａ’を細長い台形状としている。
【００７１】
図２１は第１４参考実施形態を示し、丸編み成型機によって編成した１枚の丸編み素材からなるかぶりタイプのブラジャー１２０からなる。このブラジャー１２０では、カップ部１２１は良く伸びるフロート編み、サイドバック部１２２は上下両側部１２２ｂ、１２２ｃをパワーの弱いリブ編みとし、中央部１２２ａをパワーの強いリブ編みとしている。このように、サイドバック部１２２は上下幅方向に編み組織を変えることにより、段状にパワーの差を持たせている。
【００７２】
図２２は第１５参考実施形態を示し、ボデイスーツ１３０に適用している。該ボデイスーツ１３０では前身頃１３０ａにカップ部１３１を設けている一方、後身頃１３０ｂには、サイドバック部１３２とガードル・バック部１３３を設け、その間をあけている。
上記サイドバック部１３２はバック中央で分離せずに一体化しており、上下方向の中央部１３２ａのパワーを強くし、上下両側部１３２ｂと１３２ｃはパワーを弱くしている。
【００７３】
なお、上記実施形態に限定するものではなく、ビキニタイプの水着にも適用できる。
さらに、サイド・バック部の生地は、パワーネット以外に、トリコット、ストレッチレース、ジャガードラッシェル等を用いてもよい。
【００７４】
また、中央部と上下側部とでは異なる種類の生地を用いても良い。パワー切り替えは、デニール数の異なる弾性糸を挿入したり、挿入する弾性糸の本数を増減したり、これらを組み合わせることにより行ってたり、あるいは編組織を変えてもよい。
パワー切り替えの段回数も何段でもよく、また接ぎ合わせる生地の枚数を４枚以上としてもよい。また、補強布を用いる場合、補強布のパワーは本体布と同程度としてもよく、その貼り付け位置も本体布の内外いずれでもよい。さらに、補強布は、パワー切り替えされた２枚の生地、あるいはパワー切り替えされた生地とパワー切り替えのない生地の２枚を一部重ねて縫着形成した本体に貼り付けても良い。なお、可能な限り１枚あるいは少ない枚数で形成する方が縫製上の点で好ましい。
【００７５】
【発明の効果】
以上の説明より明らかなように、本発明に係るブラジャー等のカップ部を有する衣類では、サイド・バック部の上下方向の中央部のパワーを強くし、その上下両側に該中央部よりパワーの弱い部分を設け、あるいはパワーの弱い上側部と下側部から中心部に向かって段階的にパワーを強めて、緊締力を面状に負荷しながら段階的に上下両端辺に向かって弱くなるようにしている。よって、中央部でしっかりと身体を押さえ、これにより上下両側へと皮膚が伸展した場合には上下両側部で緩やかな緊締力で面状におさえて、伸展した皮膚を分散吸収する。
【００７６】
その結果、従来のブラジャー等の着用時において上下両端のテープにより負荷される線状の強い緊締力により発生していた上下両端縁に沿う皮膚の段差発生を、本発明では解消することができる。さらに、サイド・バック部の中央部を強い緊締力で面状に押さえるため、サイドバック部の内部に皮膚が溜まって隆起することも防止できる。従って、ブラジャーの着用時に、段差が少なく外衣に影響しにくい美しいサイド・バックシルエットを形成することができる。
【００７７】
また、サイド・バック部の上下両側部は緩やかな緊締力を面状に負荷しているため、サイドバック部の上下両縁より皮膚を外部に分散させると同時に外部から伸展した皮膚をサイド・バック内部に吸収しやすい。そのため、運動時等に脇側や背面側が大きく皮膚伸展しても、その伸展量を分散、吸収してサイド・バック部の位置ズレを防止することができ、運動時等において安定した着用感が得られる。
【００７８】
さらに、このサイド・バック部の上下側部に端始末不要のヘムパワーネットを用いることにより、上下両端部の肌への食い込み、およびそれによる肉の隆起を防止し、美しいシルエット形成を一層確実にすることができる。
【図面の簡単な説明】
【図１】  本発明の第１参考実施形態に係るブラジャーを示す全体斜視図である。
【図２】  図１に示すサイド・バック部の一部拡大図である。
【図３】  図１に示すブラジャーの着用時の要部拡大図である。
【図４】  第２参考実施形態に係るブラジャーの全体斜視図である。
【図５】  図４に示すサイド・バック部の一部拡大図である。
【図６】  第３参考実施形態に係るブラジャーのサイド・バック部の一部拡大図である。
【図７】  （Ａ）（Ｂ）は、第４参考実施形態に係るブラジャーのサイド・バック部の一部拡大図である。
【図８】  （Ａ）（Ｂ）は、第１実施形態に係るブラジャーのサイド・バック部の一部拡大図である。
【図９】  （Ａ）（Ｂ）は、第５参考実施形態に係るブラジャーのサイド・バック部の一部拡大図である。
【図１０】  （Ａ）（Ｂ）は、第６参考実施形態に係るブラジャーのサイド・バック部の一部拡大図である。
【図１１】  第７参考実施形態に係るブラジャーのサイド・バック部の一部拡大図である。
【図１２】  第２実施形態に係るブラジャーのサイド・バック部の一部拡大図である。
【図１３】  第３実施形態に係るブラジャーのサイド・バック部の一部拡大図である。
【図１４】  （Ａ）（Ｂ）は、第８参考実施形態に係るブラジャーのサイド・バック部の一部拡大図である。
【図１５】  （Ａ）（Ｂ）は、第９参考実施形態に係るブラジャーのサイド・バック部の一部拡大図である。
【図１６】  （Ａ）（Ｂ）は、第１０参考実施形態に係るブラジャーのサイド・バック部の一部拡大図である。
【図１７】  （Ａ）（Ｂ）は、第４実施形態に係るブラジャーのサイド・バック部の一部拡大図である。
【図１８】  第１１参考実施形態に係るブラジャーのサイド・バック部の一部拡大図である。
【図１９】  （Ａ）（Ｂ）は第１２参考実施形態を示す図面である。
【図２０】  （Ａ）（Ｂ）は第１３参考実施形態を示す図面である。
【図２１】  第１４参考実施形態のブラジャーの斜視図である。
【図２２】  （Ａ）（Ｂ）は第１５参考実施形態のボデイスーツの斜視図である。
【図２３】  （Ａ）（Ｂ）は従来例を示す図である。
【図２４】  他の従来例を示す図である。
【符号の説明】
１０、１０’  ブラジャー
１１、１１’  カップ布
１４、１４’  土台布
１７、１７’  留め具
２０、２５、３０、３５、４０、４５、５０、５５、６０、６５、７０、７５、８０、８５、９０  サイド・バック部
７１、７６、８１、８６、９１  本体
７１ａ、７６ａ、８１ａ、８６ａ、８６ｂ、９２  補強布
２０Ａ、２５Ａ、３０Ａ、３５Ａ、４０Ａ、４５Ａ、５０Ａ、５５Ａ、６０Ａ、６５Ａ、７０Ａ、７５Ａ、８０Ａ、８５Ａ、９０Ａ  中央部
２０Ｂ、２５Ｂ、３０Ｂ、３５Ｂ、４０Ｂ、４５Ｂ、５０Ｂ、５５Ｂ、６０Ｂ、６５Ｂ、７０Ｂ、７５Ｂ、８０Ｂ、８５Ｂ、９０Ｂ  上側部
２０Ｃ、２５Ｃ、３０Ｃ、３５Ｃ、４０Ｃ、４５Ｃ、５０Ｃ、５５Ｃ、６０Ｃ、６５Ｃ、７０Ｃ、７５Ｃ、８０Ｃ、８５Ｃ、９０Ｃ  下側部
４０ＡＡ、４５ＡＡ、６０ＡＡ、６５ＡＡ、８０ＡＡ、８５ＡＡ  中心部
２１、２６、３１、３６、４１、４６、５１、７７、８２  上側布
２２、２７、３２、３７、４２、４７、５３、７８、８３  下側布
５２  中間布
【図１】
0003876406.tif 000002
【図２】
0003876406.tif 000003
【図３】
0003876406.tif 000004
【図４】
0003876406.tif 000005
【図５】
0003876406.tif 000006
【図６】
0003876406.tif 000007
【図７】
0003876406.tif 000008
【図８】
0003876406.tif 000009
【図９】
0003876406.tif 000010
【図１０】
0003876406.tif 000011
【図１１】
0003876406.tif 000012
【図１２】
0003876406.tif 000013
【図１３】
0003876406.tif 000014
【図１４】
0003876406.tif 000015
【図１５】
0003876406.tif 000016
【図１６】
0003876406.tif 000017
【図１７】
0003876406.tif 000018
【図１８】
0003876406.tif 000019
【図１９】
0003876406.tif 000020
【図２０】
0003876406.tif 000021
【図２１】
0003876406.tif 000022
【図２２】
0003876406.tif 000023
【図２３】
0003876406.tif 000024
【図２４】
0003876406.tif 000025